(57)【要約】【課題】別部材を使用することなく、引手部材と紐部材のずれを防止することができるスライドファスナー用スライダーの引手及びスライドファスナー用スライダーを提供する。【解決手段】引手１０は、引手部材２０と、引手部材２０に取り付けられる紐部材４０と、を備え、引手部材２０は、スライダー胴体１２Ａに取り付けられる連結部２１と、連結部２１から延設されて紐部材４０が取り付けられる取付部３０と、を有し、取付部３０は、表裏方向に貫通する第１孔部３１及び第２孔部３２と、第１孔部３１と第２孔部３２との間に形成され、紐部材４０が巻き付けられる巻付部３３と、を有し、第２孔部３２は、第１孔部３１と連結部２１との間に配置され、紐部材４０は、所定長さの紐体４１の両端が結合されてループ状に形成され、紐部材４０は、第１孔部３１及び第２孔部３２に挿通されて、巻付部３３に巻き付けられる。【選択図】図１
0003196060.tif 000002
【実用新案登録請求の範囲】
【請求項１】
スライドファスナー用スライダー（１１Ａ，１１Ｂ）のスライダー胴体（１２Ａ，１２Ｂ）に取り付けられる引手（１０）であって、
前記引手（１０）は、引手部材（２０）と、前記引手部材（２０）に取り付けられる紐部材（４０）と、を備え、
前記引手部材（２０）は、前記スライダー胴体（１２Ａ，１２Ｂ）に取り付けられる連結部（２１）と、前記連結部（２１）から延設されて前記紐部材（４０）が取り付けられる取付部（３０）と、を有し、
前記取付部（３０）は、表裏方向に貫通する第１孔部（３１）及び第２孔部（３２）と、前記第１孔部（３１）と前記第２孔部（３２）との間に形成され、前記紐部材（４０）が巻き付けられる巻付部（３３）と、を有し、
前記第２孔部（３２）は、前記第１孔部（３１）と前記連結部（２１）との間に配置され、
前記紐部材（４０）は、所定長さの紐体（４１）の略中央を折り返して形成した折り返し部（４１ａ）を有し、その両端が結合されてループ状に形成され、
前記紐部材（４０）は、前記第１孔部（３１）及び前記第２孔部（３２）に挿通されて、前記巻付部（３３）に巻き付けられることを特徴とするスライドファスナー用スライダー（１１Ａ，１１Ｂ）の引手（１０）。
【請求項２】
前記第２孔部（３２）と前記連結部（２１）と間に、ロゴ、マーク、及び文字を配置するためのスペース（３４）が形成されることを特徴とする請求項１に記載のスライドファスナー用スライダー（１１Ａ，１１Ｂ）の引手（１０）。
【請求項３】
前記第１孔部（３１）の最大左右方向寸法（Ｗ１）が、前記第２孔部（３２）の最大左右方向寸法（Ｗ２）よりも大きく設定されることを特徴とする請求項１又は２に記載のスライドファスナー用スライダー（１１Ａ，１１Ｂ）の引手（１０）。
【請求項４】
前記巻付部（３３）は、その上下方向幅がその左右方向中央において最小となるように形成されることを特徴とする請求項１〜３のいずれか１項に記載のスライドファスナー用スライダー（１１Ａ，１１Ｂ）の引手（１０）。
【請求項５】
前記連結部（２１）は、一対の脚部（２３）と、前記一対の脚部（２３）の先端部に形成され、前記スライダー胴体（１２Ａ）に係合する係合凸部（２４）と、を有することを特徴とする請求項１〜４のいずれか１項に記載のスライドファスナー用スライダー（１１Ａ）の引手（１０）。
【請求項６】
前記紐部材（４０）の前記折り返し部（４１ａ）を、前記引手部材（２０）の表面及び裏面の一方から他方に向けて前記第１孔部（３１）に挿通し、
前記紐部材（４０）の前記折り返し部（４１ａ）を、前記引手部材（２０）の表面及び裏面の他方から一方に向けて前記第２孔部（３２）に挿通し、
前記第２孔部（３２）から引き出された前記紐部材（４０）のループに、前記紐部材（４０）の結合部を潜らせ、
前記紐部材（４０）の結合部を引くことにより、前記紐体（４１）が引き絞られて前記紐部材（４０）が前記巻付部（３３）に巻き付けられることを特徴とする請求項１〜５のいずれか１項に記載のスライドファスナー用スライダー（１１Ａ，１１Ｂ）の引手（１０）。
【請求項７】
前記紐部材（４０）が前記引手部材（２０）の前記巻付部（３３）に巻き付けられた状態において、前記紐部材（４０）の前記折り返し部（４１ａ）は、前記第１孔部（３１）側に配置されることを特徴とする請求項６に記載のスライドファスナー用スライダー（１１Ａ，１１Ｂ）の引手（１０）。
【請求項８】
スライダー胴体（１２Ａ）と、前記スライダー胴体（１２Ａ）の上翼板（１３Ａ）の上面から下翼板（１４Ａ）の下面に亘って略Ｕ字状に設けられる引手取付部（１６Ａ）と、前記引手取付部（１６Ａ）に取り付けられる引手（１０）と、を備えるスライドファスナー用スライダー（１１Ａ）であって、
前記引手（１０）が、請求項１〜７のいずれか１項に記載の引手（１０）であることを特徴とするスライドファスナー用スライダー（１１Ａ）。
【考案の詳細な説明】
【技術分野】
【０００１】
本考案は、スライドファスナー用スライダーの引手及びスライドファスナー用スライダーに関する。
【背景技術】
【０００２】
従来のスライドファスナー用スライダーとして、スライダー胴体と、スライダー胴体に取り付けられる引手と、を備え、引手が、スライダー胴体に取り付けられる引手部材と、引手部材に取り付けられる紐部材と、引手部材と紐部材の接続部分を覆う熱収縮性チューブと、を備えるものが知られている（例えば、特許文献１参照）。
【先行技術文献】
【特許文献】
【０００３】
【特許文献１】実用新案登録第３１１３１８２号公報
【考案の概要】
【考案が解決しようとする課題】
【０００４】
ところで、上記特許文献１に記載のスライドファスナー用スライダーでは、引手部材と紐部材の接続部分を覆う熱収縮性チューブにより引手部材と紐部材のずれを防止することができるものの、別部材である熱収縮性チューブが必要なため、引手の製造コストが増加してしまっていた。
【０００５】
本考案は、前述した事情に鑑みてなされたものであり、その目的は、別部材を使用することなく、引手部材と紐部材のずれを防止することができるスライドファスナー用スライダーの引手及びスライドファスナー用スライダーを提供することにある。
【課題を解決するための手段】
【０００６】
本考案の上記目的は、下記の構成により達成される。
（１）スライドファスナー用スライダーのスライダー胴体に取り付けられる引手であって、引手は、引手部材と、引手部材に取り付けられる紐部材と、を備え、引手部材は、スライダー胴体に取り付けられる連結部と、連結部から延設されて紐部材が取り付けられる取付部と、を有し、取付部は、表裏方向に貫通する第１孔部及び第２孔部と、第１孔部と第２孔部との間に形成され、紐部材が巻き付けられる巻付部と、を有し、第２孔部は、第１孔部と連結部との間に配置され、紐部材は、所定長さの紐体の略中央を折り返して形成した折り返し部を有し、その両端が結合されてループ状に形成され、紐部材は、第１孔部及び第２孔部に挿通されて、巻付部に巻き付けられることを特徴とするスライドファスナー用スライダーの引手。
（２）第２孔部と連結部と間に、ロゴ、マーク、及び文字を配置するためのスペースが形成されることを特徴とする（１）に記載のスライドファスナー用スライダーの引手。
（３）第１孔部の最大左右方向寸法が、第２孔部の最大左右方向寸法よりも大きく設定されることを特徴とする（１）又は（２）に記載のスライドファスナー用スライダーの引手。
（４）巻付部は、その上下方向幅がその左右方向中央において最小となるように形成されることを特徴とする（１）〜（３）のいずれか１つに記載のスライドファスナー用スライダーの引手。
（５）連結部は、一対の脚部と、一対の脚部の先端部に形成され、スライダー胴体に係合する係合凸部と、を有することを特徴とする（１）〜（４）のいずれか１つに記載のスライドファスナー用スライダーの引手。
（６）紐部材の折り返し部を、引手部材の表面及び裏面の一方から他方に向けて第１孔部に挿通し、紐部材の折り返し部を、引手部材の表面及び裏面の他方から一方に向けて第２孔部に挿通し、第２孔部から引き出された紐部材のループに、紐部材の結合部を潜らせ、紐部材の結合部を引くことにより、紐体が引き絞られて紐部材が巻付部に巻き付けられることを特徴とする（１）〜（５）のいずれか１つに記載のスライドファスナー用スライダーの引手。
（７）紐部材が引手部材の巻付部に巻き付けられた状態において、紐部材の折り返し部は、第１孔部側に配置されることを特徴とする（６）に記載のスライドファスナー用スライダーの引手。
（８）スライダー胴体と、スライダー胴体の上翼板の上面から下翼板の下面に亘って略Ｕ字状に設けられる引手取付部と、引手取付部に取り付けられる引手と、を備えるスライドファスナー用スライダーであって、引手が、（１）〜（７）のいずれか１つに記載の引手であることを特徴とするスライドファスナー用スライダー。
【考案の効果】
【０００７】
本考案によれば、引手は、引手部材と、引手部材に取り付けられる紐部材と、を備え、引手部材は、スライダー胴体に取り付けられる連結部と、連結部から延設されて紐部材が取り付けられる取付部と、を有し、取付部は、表裏方向に貫通する第１孔部及び第２孔部と、第１孔部と第２孔部との間に形成され、紐部材が巻き付けられる巻付部と、を有し、第２孔部は、第１孔部と連結部との間に配置され、紐部材は、所定長さの紐体の略中央を折り返して形成した折り返し部を有し、その両端が結合されてループ状に形成され、紐部材は、第１孔部及び第２孔部に挿通されて、巻付部に巻き付けられるため、別部材を使用することなく、引手部材２０と紐部材４０のずれを防止することができる。
【図面の簡単な説明】
【０００８】
【図１】本考案に係るスライドファスナー用スライダーの引手の第１実施形態が取り付けられたスライダーを説明する平面図である。
【図２】図１に示すスライダーの平面図である。
【図３】図２に示すスライダーの側面図である。
【図４】（ａ）は図２に示す引手の斜視図であり、（ｂ）は図２に示す引手の平面図である。
【図５】本考案に係るスライドファスナー用スライダーの引手の第２実施形態が取り付けられたスライダーを説明する平面図である。
【図６】図５に示すスライダーの側面図である。
【図７】（ａ）は図５に示す引手の斜視図であり、（ｂ）は図５に示す引手の平面図である。
【図８】本考案に係るスライドファスナー用スライダーの引手の第１変形例を説明する斜視図である。
【図９】本考案に係るスライドファスナー用スライダーの引手の第２変形例を説明する斜視図である。
【図１０】本考案に係るスライドファスナー用スライダーの引手の第３変形例を説明する斜視図である。
【図１１】本考案に係るスライドファスナー用スライダーの引手の第４変形例を説明する斜視図である。
【図１２】本考案に係るスライドファスナー用スライダーの引手の第５変形例を説明する斜視図である。
【図１３】本考案に係るスライドファスナー用スライダーの引手の第６変形例を説明する斜視図である。
【図１４】本考案に係るスライドファスナー用スライダーの引手の第７変形例を説明する斜視図である。
【図１５】本考案に係るスライドファスナー用スライダーの引手の第８変形例を説明する斜視図である。
【考案を実施するための形態】
【０００９】
以下、本考案に係るスライドファスナー用スライダーの引手の各実施形態について、図面に基づいて詳細に説明する。なお、以後の説明において、引手（引手部材）に関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とする。また、引手（引手部材）の左右方向は幅方向とも言う。
【００１０】
（第１実施形態）
まず、図１〜図４を参照して、本考案に係るスライドファスナー用スライダーの引手の第１実施形態について説明する。
【００１１】
本実施形態の引手１０は、図１〜図３に示すように、スライドファスナー用スライダー（以下、単に「スライダー」とも言う）１１Ａのスライダー胴体１２Ａの引手取付部１６Ａに取り付けられている。この引手取付部１６Ａは、スライダー胴体１２Ａの上翼板１３Ａの上面から下翼板１４Ａの下面に亘って略Ｕ字状に設けられている。なお、図３中の符号１５Ａは、上翼板１３Ａと下翼板１４Ａとを連結する案内柱である。また、図１中の符号ＳＦはスライドファスナー、Ｔはファスナーテープ、ＥＬはファスナーエレメントである。また、本実施形態のスライダー１１Ａは、自動停止機能付きスライダーであるが、自動停止機能のない自由スライダーであってもよい。
【００１２】
また、引手取付部１６Ａの両側面には、引手１０が係合する引手ガイド溝１７Ａが引手取付部１６Ａに沿ってそれぞれ形成されている。このため、引手１０は、引手ガイド溝１７Ａに沿って移動可能であり、スライダー１１Ａの上面側又は下面側に配置可能である。そして、このスライダー１１Ａは、例えば、リバーシブルウェアの前開き部分の両面スライドファスナーなどに使用される。
【００１３】
引手１０は、図２〜図４に示すように、平板状の引手部材２０と、引手部材２０に取り付けられる紐部材４０と、を備える。
【００１４】
引手部材２０は、その長手方向の一端側に配置され、スライダー胴体１２Ａの引手取付部１６Ａに取り付けられる連結部２１と、その長手方向の他端側に配置され、連結部２１から延設されて紐部材４０が取り付けられる取付部３０と、有する。
【００１５】
連結部２１は、中央に略矩形の引手開口部２２を設けることで、左右両側に一対の脚部２３が形成されている。一対の脚部２３の先端部には、互いに接近するように幅方向内側に延び、引手取付部１６Ａの左右の引手ガイド溝１７Ａに係合する係合凸部２４がそれぞれ形成されている。
【００１６】
取付部３０は、表裏方向に貫通する第１孔部３１及び第２孔部３２と、第１孔部３１と第２孔部３２との間に形成され、紐部材４０が巻き付けられる巻付部３３と、を有する。  第１孔部３１は、取付部３０の下部に配置され、第２孔部３２は、第１孔部３１と連結部２１との間に配置されている。即ち、第１孔部３１及び第２孔部３２は、引手１０の長手方向に沿って並んで配置されている。また、第２孔部３２と連結部２１との間には、ロゴ、マーク、及び文字を配置するためのスペース３４が形成されている。
【００１７】
また、図４（ｂ）に示すように、第１孔部３１の最大左右方向寸法Ｗ１は、第２孔部３２の最大左右方向寸法Ｗ２よりも大きく設定されている。
【００１８】
また、図４（ｂ）に示すように、巻付部３３の上側面３３ａ及び下側面３３ｂは、巻付部３３の上下方向幅がその左右方向中央において最小となるように、それぞれ湾曲して形成されている。これにより、巻付部３３に巻き付けられた紐部材４０が巻付部３３の左右方向中央に案内されるため、紐部材４０の位置ずれを抑制することができる。
【００１９】
紐部材４０は、所定長さの紐体４１の略中央を折り返して形成した折り返し部４１ａを有し、その両端部が摘み部４２により結合されてループ状に形成されている。摘み部４２は、例えば、合成樹脂の射出成形により形成されている。
【００２０】
次に、図２及び図３を参照して、紐部材４０の取付部３０への取り付けについて説明する。まず、紐体４１の折り返し部４１ａを、引手部材２０の表面から裏面に向けて第１孔部３１に挿通する。次いで、紐体４１の折り返し部４１ａを、引手部材２０の裏面から表面に向けて第２孔部３２に挿通する。次いで、第２孔部３２から引き出された紐部材４０のループに、紐部材４０の摘み部４２を潜らせる。そして、紐部材４０の摘み部４２を下方に引くことにより、紐体４１が引き絞られて紐部材４０が巻付部３３に巻き付けられる。
【００２１】
続いて、図２及び図３を参照して、紐部材４０の取付部３０に取り付けられた状態について説明する。紐部材４０の折り返し部４１ａから連続する各紐体４１は、巻付部３３の表面側を下方から上方に向けて通過した後、第２孔部３２を表面側から裏面側に向かって通過する。第２孔部３２を通過した各紐体４１は、巻付部３３の裏面側を上方から下方に向けて通過した後、第１孔部３１を裏面側から表面側に向かって通過する。そして、第１孔部３１を通過した各紐体４１は、紐部材４０の折り返し部４１ａにより形成されるループを通過する。また、紐部材４０の折り返し部４１ａは、第１孔部３１側に配置されている。
【００２２】
また、第１孔部３１内には、折り返し部４１ａから連続する２本の紐体４１と、折り返し部４１ａにより形成されるループを通過する２本の紐体４１が配置され、第２孔部３２内には、折り返し部４１ａから連続する２本の紐体４１が配置されている。そして、この紐体４１の配置のために、第１孔部３１の最大左右方向寸法Ｗ１は、第２孔部３２の最大左右方向寸法Ｗ２よりも大きく設定されている（図４（ｂ）参照）。
【００２３】
以上説明したように、本実施形態のスライドファスナー用スライダー１１Ａの引手１０によれば、引手部材２０の取付部３０は、表裏方向に貫通する第１孔部３１及び第２孔部３２と、第１孔部３１と第２孔部３２との間に形成され、紐部材４０が巻き付けられる巻付部３３と、を有し、紐部材４０は、第１孔部３１及び第２孔部３２に挿通されて、巻付部３３に巻き付けられるため、別部材を使用することなく、引手部材２０と紐部材４０のずれを防止することができる。また、別部材を使用しないため、引手１０のデザイン性を向上することができ、また、紐部材４０を容易に交換することができる。
【００２４】
なお、取付部３０に第２孔部３２を設けず、第１孔部３１及び引手開口部２２に紐部材４０を挿通することも考えられるが、この場合、引手開口部２２の長手方向寸法が小さく設計されているため、引手開口部２２に紐部材４０を挿通すると、紐部材４０の紐体４１が引手取付部１６Ａに接触して、引手１０が起立状態となってしまう。そして、この起立状態の引手１０を無理に倒すと、停止爪が持ち上がってしまい、スライダー１１Ａがノンロック状態になる可能性がある。なお、本実施形態のような両面スライドファスナー用スライダーでは、連結部２１の一対の脚部２３の先端部間が開放しているため、引手１０の捩じり強度の向上のため、引手開口部２２の長手方向寸法が小さく設計されている。
【００２５】
（第２実施形態）
次に、図５〜図７を参照して、本考案に係るスライドファスナー用スライダーの引手の第２実施形態について説明する。なお、第１実施形態と同一又は同等部分については、図面に同一或いは同等符号を付してその説明を省略或いは簡略化する。
【００２６】
本実施形態の引手１０は、図５及び図６に示すように、スライダー１１Ｂのスライダー胴体１２Ｂの引手取付部１６Ｂに取り付けられている。この引手取付部１６Ｂは、スライダー胴体１２Ｂの上翼板１３Ｂの上面に設けられている。なお、図６中の符号１４Ｂは下翼板であり、符号１５Ｂは、上翼板１３Ｂと下翼板１４Ｂとを連結する案内柱である。また、本実施形態のスライダー１１Ｂは、自動停止機能のない自由スライダーであるが、自動停止機能付きスライダーであってもよい。
【００２７】
そして、本実施形態の引手部材２０の連結部２１は、図５〜図７に示すように、中央に略楕円形の引手開口部２２を設けることで、左右両側に一対の脚部２３が形成され、一対の脚部２３の先端部同士が軸部２５で連結されている。そして、軸部２５は、スライダー胴体１２Ｂの引手取付部１６Ｂに揺動自在に取り付けられている。
その他の構成及び作用効果については、上記第１実施形態と同様である。
【００２８】
さらに、上記第１及び第２実施形態に示した引手１０は、図８〜図１５に示す形状（第１〜第８変形例）であってもよい。なお、上記第１実施形態、第２実施形態、及び第１〜第８変形例の引手１０の各構成（連結部２１、取付部３０、第１孔部３１、第２孔部３２、及び巻付部３３など）の組み合わせは自由である。
【００２９】
なお、本考案は上記実施形態に例示したものに限定されるものではなく、本考案の要旨を逸脱しない範囲において適宜変更可能である。
例えば、紐部材の引手部材への取り付け方は、上記実施形態に示したものに限定されず、その取り付け方は任意である。
また、引手部材の外形形状は、上記実施形態及び変形例に示したものに限定されず、その形状は任意である。
【符号の説明】
【００３０】
１０    引手
２０    引手部材
２１    連結部
２３    脚部
２４    係合凸部
３０    取付部
３１    第１孔部
３２    第２孔部
３３    巻付部
３４    スペース
４０    紐部材
４１    紐体
４１ａ  折り返し部
４２    摘み部
１１Ａ，１１Ｂ    スライドファスナー用スライダー
１２Ａ，１２Ｂ    スライダー胴体
１３Ａ，１３Ｂ    上翼板
１４Ａ，１４Ｂ    下翼板
１６Ａ，１６Ｂ    引手取付部
Ｗ１    第１孔部の最大左右方向寸法
Ｗ２    第２孔部の最大左右方向寸法
【図１】
0003196060.tif 000003
【図２】
0003196060.tif 000004
【図３】
0003196060.tif 000005
【図４】
0003196060.tif 000006
【図５】
0003196060.tif 000007
【図６】
0003196060.tif 000008
【図７】
0003196060.tif 000009
【図８】
0003196060.tif 000010
【図９】
0003196060.tif 000011
【図１０】
0003196060.tif 000012
【図１１】
0003196060.tif 000013
【図１２】
0003196060.tif 000014
【図１３】
0003196060.tif 000015
【図１４】
0003196060.tif 000016
【図１５】
0003196060.tif 000017